(57)【要約】  おむつ、失禁パッド又は衛生ナプキンの如き吸収物品（１）であって、カバー（１６）に封入された吸収体（６）、及び物品を装着者上に固定するための固定配置を含む。固定配置は第一及び第二固定手段（２６，２７）を含み、各々は二つの部分の雌部分（２９，３１）及び二つの部分の雄部（２８，３０）を含み、固定手段（２６，２７）の各雌部（２９，３１）は物品（１）の対角の対向する角に配置され、固定手段（２６，２７）の各雄部（２８，３０）は物品が広げられた状態にあるとき物品（１）の他の二つの対角の対向する角に配置される。【選択図】  図１
2007504884.tif 000002
【特許請求の範囲】
【請求項１】
おむつ、失禁パッド又は衛生ナプキンの如き吸収物品（１）であって、吸収物品が吸収体（６）、液体透過性カバー層（２）及び裏打ち層（４）を含むカバー（１６）、及び物品を装着者に固定するための固定配置を含み、固定配置が第一及び第二固定手段（２６，２７）を含み、各固定手段（２６，２７）が雌部（２９，３１）及び雄部（２８，３０）を含み、雌部（２９，３１）がカバー（１６）に接続された第一突出舌部（３２）、及びカバー（１６）に接続された第二突出舌部（３３）を有し、第一突出舌部（３２）上の表面が第二突出舌部（３３）上の表面の方に向けられ、第二突出舌部（３３）の方へ向けられる第一突出舌部（３２）の表面上に第一固定要素（３６）が配置され、第一突出舌部（３２）の方へ向けられる第二突出舌部（３３）の表面上に第二固定要素（３７）が配置され、雄部（２８，３０）がカバー（１６）に接続され、雄部（２８，３０）が第三固定要素（４０）を含む第一表面（３８）、及び第四固定要素（４１）を含む第二表面（３９）を有し、雄部（２８，３０）及び雌部（２９，３１）が相互に接続可能であり、第一固定要素（３６）が第三固定要素（４０）と相互作用し、第二固定要素（３７）が第四固定要素（４１）と相互作用するものにおいて、固定手段（２６，２７）のそれぞれの雌部（２９，３１）は物品（１）の対角の対向する角に配置されること、及び固定手段（２６，２７）のそれぞれの雄部（２８，３０）は物品（１）が広げられた状態にあるときに物品（１）の他の二つの対角の対向する角に配置されることを特徴とする吸収物品（１）。
【請求項２】
第二突出舌部（３３）の方へ向けられる雌部（２９，３１）の第一突出舌部（３２）の表面上に第五固定要素（４２）が配置され、雄部（２８，３０）の第一表面上に第六固定要素（４３）が配置され、第五固定要素（４２）が第六固定要素（４３）と相互接続可能であることを特徴とする請求項１に記載の吸収物品（１）。
【請求項３】
固定手段（２６，２７）が機械的固定要素を含むことを特徴とする請求項１又は２に記載の吸収物品（１）。
【請求項４】
機械的固定要素がフック及びループ要素からなることを特徴とする請求項３に記載の吸収物品（１）。
【請求項５】
固定手段（２６，２７）が接着剤固定要素を含むことを特徴とする請求項１又は２に記載の吸収物品（１）。
【請求項６】
固定手段（２６，２７）の雄部（２８，３０）が失禁パッド（１）の液体透過性カバー層（２）又は裏打ち層（４）、又はそれらの両方の層を含むことを特徴とする請求項１〜５のいずれかに記載の吸収物品（１）。
【請求項７】
固定手段（２６，２７）の雌部（２９，３１）が失禁パッド（１）の液体透過性カバー層（２）又は裏打ち層（４）、又はそれらの両方の層を含むことを特徴とする請求項１〜６のいずれかに記載の吸収物品（１）。
【請求項８】
物品が開放可能なパンツ製品であることを特徴とする請求項１〜７のいずれかに記載の吸収物品（１）。
【請求項９】
請求項１〜８のいずれかに記載の固定配置を含む吸収物品（１）を装着者上に適合するための方法において、固定配置の二つの固定手段（２６，２７）の相互接続が物品（１）及び物品の装着者に関して同じ位置から実施され、最初に選択された固定手段（２６，２７）及び次に選択された固定手段（２６，２７）の相互接続のための操作の順序が同一であり、最初に選択された固定手段（２６，２７）及び次に選択された固定手段（２６，２７）の両方のための順序において同じ操作のために同じ手が使用されることを特徴とする方法。
【請求項１０】
請求項１，３，４，５又は６のいずれかに記載の固定配置を含む吸収物品（１）を装着者上に適合するための請求項９に記載の方法において、最初に選択された固定手段（２６，２７）の相互接続が最初に第一固定要素（３６）を第三固定要素（４０）と相互接続し、次に第二固定要素（３７）を第四固定要素（４１）と相互接続することによって実施され、その後次に選択された固定手段（２６，２７）のための固定要素（３６，４０，３７，４１）の相互接続が最初に選択された固定手段（２６，２７）の固定要素（３６，４０，３７，４１）のための順序と同じ順序で実施されることを特徴とする方法。
【請求項１１】
請求項２，３，４，５又は６のいずれかに記載の固定配置を含む吸収物品（１）を装着者上に適合するための請求項９に記載の方法において、最初に選択された固定手段（２６，２７）の相互接続が最初に第一固定要素（３６）を第三固定要素（４０）と相互接続し、次に第五固定要素（４２）を第六固定要素（４３）と相互接続することによって実施され、その後第二固定要素（３７）が第四固定要素（４１）と相互接続され、その後次に選択された固定手段（２６，２７）のための固定要素（３６，４０，４２，４３，３７，４１）の相互接続が最初に選択された固定手段（２６，２７）の固定要素（３６，４０，４２，４３，３７，４１）のための順序と同じ順序で実施されることを特徴とする方法。
【請求項１２】
請求項２，３，４，５又は６のいずれかに記載の固定配置を含む吸収物品（１）を装着者上に適合するための請求項９に記載の方法において、最初に選択された固定手段（２６，２７）の相互接続が最初に第五固定要素（４２）を第六固定要素（４３）と相互接続し、次に第一固定要素（３６）を第三固定要素（４０）と相互接続することによって実施され、その後第二固定要素（３７）が第四固定要素（４１）と相互接続され、その後次に選択された固定手段（２６，２７）のための固定要素（４２，４３，３６，４０，３７，４１）の相互接続が第一固定手段（２６，２７）の固定要素（４２，４３，３６，４０，３７，４１）のための順序と同じ順序で実施されることを特徴とする方法。
【発明の詳細な説明】
【技術分野】
【０００１】
本発明は、おむつ、失禁パッド又は衛生ナプキンの如き吸収物品であって、吸収物品が吸収体、液体透過性カバー層及び裏打ち層を含むカバー、及び物品を装着者に固定するための固定配置を含むものに関する。この関連において、固定配置は第一及び第二固定手段を含む。各固定手段は雌部及び雄部を含み、雌部はカバーに接続された第一突出舌部、及びカバーに接続された第二突出舌部を有し、第一突出舌部上の表面は第二突出舌部上の表面の方に向けられ、第二突出舌部の方へ向けられる第一突出舌部の表面上に第一固定要素が配置され、第一突出舌部の方へ向けられる第二突出舌部の表面上に第二固定要素が配置される。雄部はカバーに接続され、雄部は第三固定要素を含む第一表面、及び第四固定要素を含む第二表面を有する。雄部及び雌部は相互に接続可能であり、第一固定要素は第三固定要素と相互作用し、第二固定要素は第四固定要素と相互作用する。
【０００２】
また、本発明は、本発明による固定配置を含む吸収物品を装着者上に適合するための方法に関する。
【背景技術】
【０００３】
吸収物品のための固定配置は、物品の後側部分に位置される取り付けフラップ又は取り付けタブ、及び物品の前部分上に配置される受容部からなることが多い。取り付けフラップ上に配置されるのは、例えばテープ又はフック及びループテープの如き雄部又は雌部の如き取り付け手段であり、吸収物品が装着者のまわりに取り付けられるとき、物品は装着者の腰のまわりに延ばされ、取り付けフラップの取り付け手段は物品の前側上の受容部に取り付けられる。取り付けタブの例は、ＧＢ  ２３１１０９６  Ｂ，ＷＯ  ９５／１６４２５  Ａ２，ＷＯ  ９６/１９９６０  Ａ１，ＵＳ  ５７３８９３０  Ａ，ＥＰ  ０２３５０１４  Ｂ１及びＥＰ  ０３２１２３４  Ａ１に与えられる。
【０００４】
より複雑な固定配置はＷＯ  ０２／１１６５７  Ａ２の文献に記載されている。この文献に記載された固定配置は物品の腰領域の一つに配置された二つの受容要素を含み、受容要素は物品のカバーに錨止された第一及び第二突出舌部を有する。固定要素は互いに面して配置される突出舌部の表面上に配置される。
【０００５】
物品の反対の腰領域に配置されるのは、二つの取り付けタブであり、タブは受容要素と相互接続されるように適応される。取り付けタブはそれらの対向する表面の両方の上に固定要素を有する。
【０００６】
物品が装着者上に固定されるとき、取り付けタブは受容要素の突出舌部間に固定され、各突出舌部上の固定要素は舌部に面して配置される各取り付けタブの表面上の固定要素と相互接続される。
【０００７】
取り付けタブ及び受容要素の突出舌部の両方はフック及びループ及び／又は接着剤配置の如き様々な種類の固定要素を有することができる。
【０００８】
各突出舌部及び各取り付けタブは多数の固定要素を含むことができる。多数の固定要素の使用は、受容要素及び取り付けタブが幅広く、幅広い腰領域を固定するために適応されるときに、特に一般的である。この関連において、各受容要素及び取り付けタブは通常、その縦方向縁の一方に隣接する第一固定要素、及びその他方の縦方向縁に隣接する第二固定要素を有する。固定要素間の領域は固定要素を全く有しないが、第一の二つの固定要素の間に第三固定要素を配置してもよい。この種の幅広い固定配置はパンツタイプの再閉鎖可能な吸収物品として知られるものに対して特に一般的である。
【０００９】
上記の複雑な固定配置での一つの問題は、それらが美観的に魅力のあるように適合させることが難しいことである。特に取り付けタブ又は受容要素の突出舌部が取り付けタブ又は舌部の幅方向に互いに並んで配置された二つ以上の固定要素を含むように大きな幅を有するときにそれはいつものことである。かかる配置では、取り付けシステム全体が固定されるときに滑らかな表面が得られるような方法で取り付けタブの固定要素とともに受容要素の固定要素を接合することは問題である。かかるシステムを相互接続するために両手を通常使用しなければならない。
【００１０】
吸収物品がベッドに制限されている大人の失禁症の装着者上に適合されることになるとき、一般的な手順はまず吸収物品の後部を装着者の尻の下に位置させ、物品の前部を装着者の腹の上に折り曲げ、次いで物品の前及び後腰領域の相互接続を始めることである。この点に関して、世話をする人が位置される物品／患者の側上の腰領域は通常、最初に相互接続され、その後第二腰領域がアクセス可能で相互接続できるようにベッドで１／４から半分の回転を患者が行なう。患者が横たわっているベッドのまわりでそうすることは、ほとんどの世話をする人にとって極めて時間のかかるものであると考えられている。
【００１１】
適合させる手順は原則として適合が立っている装着者に行なわれるときと同じである。
【００１２】
上記の手順による吸収物品の腰領域の相互接続は、物品の第一及び第二側上の腰領域の相互接続が適合者に関する限り鏡反転構成要素上で実施され、操作は物品の第一側が相互接続されるときに右手で行い、物品の第二側が相互接続されるときに左手で行なわなければならないことを意味する。
【００１３】
一般的な複雑でない固定配置に対しては、これは何ら問題を伴わない。なぜならば必要な操作が少なく簡単であり、片手で行なうことができるからである。
【００１４】
多数の固定要素が特定の順序で互いに相互接続されなければならず、両手が適合のために使用されなければならず、例えば固定タブ及び受容要素の様々な部分が固定順序で次の固定要素の相互接続前に延ばされなければならない、上記のような複雑な固定配置の場合には、物品の二つの側のための鏡反転方式の作業は困難を伴う。
【発明の開示】
【００１５】
しかしながら、本発明によれば、冒頭で言及された種類の固定配置を含む吸収物品は、各々が二つの部分の雌部及び二つの部分の雄部を含む第一及び第二固定手段を伴って製造され、その物品は従来公知のかかる製品と関連した問題を本質的に除去する。
【００１６】
この関連において、第一実施態様による本発明に従って作られた吸収物品は、固定手段のそれぞれの雌部が物品の対角の対向する角に配置されること、及び固定手段のそれぞれの雄部が物品が広げられた状態にあるときに物品の他の二つの対角の対向する角に配置されることを主に特徴とする。
【００１７】
第二実施態様によれば、吸収物品の固定配置は第二突出舌部の方に向けられる雌部の第一突出舌部の表面上に配置される第五固定要素を含む。物品の固定配置はまた、雄部の第一表面上に配置された第六固定要素を含み、第五及び第六固定要素は互いに相互接続する。
【００１８】
一実施態様によれば、固定手段は様々な種類の機械的固定要素を含むことができる。
【００１９】
機械的固定要素の特に好ましい形態はフック及びループ要素からなり、フック及びループ要素の雄部及び雌部は固定手段の様々な部分上で好適な方法で配置される。
【００２０】
別の実施態様によれば、固定配置の固定手段は接着剤固定要素を含むことができる。
【００２１】
機械的及び接着剤固定要素の組み合わせもまた、考えられる実施態様である。
【００２２】
代替実施態様では、固定手段の雄部は失禁パッド又は裏打ち層、又は両層の液体透過性カバー層を含むことができる。それと組み合わせて、又は代替的に、固定手段の雌部もまた、失禁パッド又は裏打ち層、又は両層の液体透過性カバー層を含むことができる。
【００２３】
一実施態様によれば、吸収物品は開放可能なパンツ製品からなる。
【００２４】
本発明はまた、冒頭で言及された種類の固定配置を含む吸収物品を適合するための方法に関し、その方法は従来公知のかかる方法と関連した問題を本質的に除去する。
【００２５】
この関連において、本発明による特徴的な方法は、固定配置の二つの固定手段の相互接続が物品及び物品の装着者に関して同じ位置から実施され、最初に選択された固定手段及び次に選択された固定手段の相互接続のための操作の順序が同一であり、最初に選択された固定手段及び次に選択された固定手段の両方のための順序において同じ操作のために同じ手が使用されることを主に特徴とする。
【００２６】
好ましい方法によれば、固定配置の一つの固定手段が最初に相互接続される。この点に関して、第一工程として、第一固定要素は第三固定要素と相互接続され、その後第一固定手段の第二固定要素は第四固定要素と相互接続される。
【００２７】
第二固定手段の固定要素は次に第一固定手段の固定要素のための順序と同じ順序で相互接続される。
【００２８】
別の好ましい方法は第一工程として一つの固定手段を相互接続し、その第一固定要素を第三固定要素と相互接続した後、第五及び第六固定要素を相互接続することを含む。第一固定手段の相互接続は次にその第二及び第四固定要素の相互接続によって完了される。適合は次いで第二固定手段を第一固定手段の固定要素のための順序と同じ順序で相互接続されることによって完了される。
【００２９】
代替法は第一工程として一つの固定手段を相互接続し、その第五固定要素を第六固定要素と相互接続した後、第一及び第三固定要素を相互接続することを含む。第一固定手段の相互接続は次にその第二及び第四固定要素の相互接続によって完了される。適合は次に第二固定手段を第一固定手段の固定要素のための順序と同じ順序で相互接続されることによって完了される。
【００３０】
図面の簡単な記述
図１は使用時に装着者に面することを意図される側から広げられた状態で本発明による固定配置を含む吸収物品を示す。
図２は二つの固定手段の相互接続の直前の構成で本発明による固定配置を含む吸収物品を示す。
図３は相互接続前の吸収物品の二つの固定手段の第一実施態様の拡大図を示す。
図４は相互接続前の吸収物品の二つの固定手段の第二実施態様の拡大図を示す。
【発明を実施するための最良の形態】
【００３１】
本発明は固定配置を含む、幼児用おむつ、失禁パッド又は衛生ナプキンの如き吸収物品に関する。
【００３２】
図１及び図２に示された実施態様は重度の失禁を患う成人装着者のための失禁パッド１に関する。
【００３３】
失禁パッド１は本質的に砂時計形状であり、かつ縦方向縁１２，１３、前横方向縁１４及び後横方向縁１５、及び前及び後端部分２１，２２及びそれらの端部分２１，２２の間に位置される狭い股部分２３を有する。使用時に、股部分２３は装着者の太ももの間の最も狭い領域に位置されることを意図される。
【００３４】
失禁パッド１の使用中、股部分２３の前部及び前端部分２１は主に尿のための受容領域として機能し、一方股部分２３の後部及び後端部分２２は主に糞便物のための受容領域として機能する。
【００３５】
失禁パッド１は、使用時に装着者に面することを意図される失禁パッド１の表面上に配置される液体透過性カバー層２、及び使用時に装着者から離れて面することを意図される物品の表面上に配置される裏打ち層４、液体透過性カバー層２と裏打ち層４の間に封入される吸収体６、及び吸収体６の外側に配置される側部フラップ３を含む。
【００３６】
液体透過性カバー層２は吸収体６の全周囲に沿って吸収体６の外側に延びる。液体透過性カバー層２はこの目的のために好適ないかなる材料からもなることができる。一般的な液体透過性カバー材料の例は不織布材料、有孔プラスチックフィルム、プラスチック又は布から作られたネット、及び液体透過性フォーム層である。主に物品の縦又は横方向に延びる連続した細い繊維からなる液体透過性カバー材料も存在する。上述の可能なカバー材料の二種以上からなる積層体も表面の異なる部分内の異なる材料からなるカバーのように一般的である。
【００３７】
特に高い強度及び耐摩耗性を有する吸収体６を含む吸収物品は、使用時に装着者に面する物品の側上で余分の液体透過性カバー層が全く要求されることなく機能することができる。
【００３８】
裏打ち層４はまた、吸収体６の全周囲に沿って吸収体６の外側に延びる。吸収物品上の通常の裏打ち層は液体不透過性であるべきであるが、他のタイプの裏打ち層も存在する。裏打ち層４は多数の異なる材料からなることができる。裏打ち層４は薄い液体不透過性プラスチックフィルムからなることが最も一般的であるが、例えばプラスチック被覆、液体不透過性フォーム層、液体不透過性接着剤などによって液体不透過性にされた不織材料の如き他のタイプの液体不透過性材料を使用することもできる。裏打ち層４はまた、蒸気透過性材料からなることもできる。少なくとも一つの液体不透過性材料からなる積層体も存在する。これらの積層体は通常、液体バリヤーとして機能する液体不透過性材料、及び使用時に装着者から離れて向けられる物品の側上に配置される繊維状材料からなり、物品の外側は衣類状である。
【００３９】
液体透過性カバー層２及び裏打ち層４は吸収体６の全周囲に沿って吸収体６の外側で相互接続される。
【００４０】
液体透過性カバー層２及び裏打ち層４は多数の様々な方法で相互接続されることができる。接続方法の例は接着、熱溶接、超音波溶接などである。
【００４１】
弾性手段５は、本質的に失禁パッド１の縦方向に走る失禁パッド１の側部フラップ３の部分において吸収体６の外側に配置される。弾性手段５は脚弾性体として機能し、液体及び排泄物が側縁１２，１３を越えて漏出して縦方向に走ることを防止する役割を有し、このようにして、周囲の層とともに外部液体バリヤー８を形成する。弾性手段５は、少なくとも失禁パッド１の股部分２３において、液体透過性カバー層２と裏打ち層４の間に延伸状態で適用された一つ以上の弾性糸からなる。弾性手段５は接着、超音波溶接などによって裏打ち層４及びカバー層２に接続される。
【００４２】
代替実施態様では、弾性手段は、使用時に装着者に面することを意図される側部フラップ３の側上、又は側部フラップの反対側上に配置されることができ、次いでもちろんカバー層２又は裏打ち層４のそれぞれにだけ接続される。
【００４３】
代替実施態様では、弾性手段は例えばフォーム材料から作られた弾性バンド材料からなることができる。
【００４４】
砂時計形状の吸収体６はセルロース毛羽パルプの一つ以上の層から構成されることができる。この関連において、セルロース毛羽パルプは、吸収時に多量の液体と化学結合しながら液体含有ゲルを形成する種類の高吸収ポリマー材料の繊維又は粒子と混合されることができる。吸収体６はまた、吸収体の表面に隣接して又は吸収体の内側の層に配置された高吸収ポリマー材料を含むことができる。吸収体６はまた、吸収体６の特性を改良するためのさらなる構成要素を含むことができる。かかる構成要素の例は、結合繊維、様々なタイプの液体分布層又は繊維、形状安定構成要素、強化繊維などである。吸収体６はもちろん、吸収性不織材料、吸収フォーム、繊維材料、泥炭又は様々な種類の吸収材料の混合物の如き他のタイプの吸収材料からなることもできる。
【００４５】
多量の液体を迅速に受容し、この液体を一時的に保持し、次いで一時的に貯蔵された液体を吸収体６の他の部分に輸送するための特別な層を、示されたタイプの失禁パッドに含めることができる。かかる受容層はそのとき通常、失禁パッド１の吸収体６と液体透過性カバー層２の間に配置される。図面には受容層は全く示されていない。
【００４６】
液体又は糞便物が失禁パッド１の側縁１２，１３を越えて漏出することをさらに防止するために、失禁パッド１は使用時に装着者に面することを意図される側上に内部側部漏出バリヤー９を与えられる。内部側部漏出バリヤー９は吸収体６の縦方向縁１０に隣接して配置され、かつ本質的に失禁パッド１の縦方向に延びる。側部漏出バリヤー９は二つに折りたたまれた別個の材料ストリップから作られ、折りたたみ縁７は側部漏出バリヤー９のうねを構成する。二つに折りたたまれた材料ストリップの各脚はカバー層２に固定され、かつ側部漏出バリヤーの固定された縁１９を構成する。
【００４７】
失禁パッド１の前部分２１及び後部分２２には、内部側部漏出バリヤー９が下方に折られ、カバー層２にその全幅にわたって接続される。
【００４８】
内部側部漏出バリヤー９は予め緊張された状態で内部側部漏出バリヤー９に接続された弾性要素２４を含む。弾性要素２４は内部側部漏出バリヤー９の自由な固定されていない縁に隣接して配置されることが好ましい。予め緊張された弾性要素２４が開放されるとき、それらは内部側部漏出バリヤー９の自由縁とともに収縮し、内部側部漏出バリヤー９は失禁パッド１の股部分２３において液体透過性カバー層２から離れた直立した構成にもたらされ、側部漏出バリヤー９はそれらの各自由縁においてのみカバー層２に接続される。
【００４９】
失禁パッド１の後及び／又は前部分はまた、おむつが装着者の腰を優しくかつ柔らかく包囲するように失禁パッド１の前横方向縁１４及び／又は後横方向縁１５に沿って配置された弾性手段からなる腰弾性体２５として知られるものを与えられることができる。本図示実施態様では、失禁パッド１の後端部分２２だけが裏打ち層４と液体透過性表面層２の間で接着剤によって取り付けられる弾性フォーム材料の薄いストリップの形の腰弾性体２５を与えられる。腰弾性体２５は装着者の腰のまわりで失禁パッド１を延伸する引き寄せ力をもたらすために層間に延伸された状態で適用される。
【００５０】
失禁パッド１は、それが装着者の腰のまわりで失禁パッド１を固定する固定配置を含むことを主に特徴とする。固定配置は第一固定手段２６及び第二固定手段２７からなる。固定手段２６，２７は、失禁パッドが装着者上に適合され、失禁パッド１がパンツ状構成をとるとき、失禁パッド１の前端部分２１を後端部分２２と相互接続する。固定手段２６，２７は、失禁パッドが装着者上に適合されるとき、それらが腰領域において装着者の左側及び右側のそれぞれの上にあるように配置される。
【００５１】
第一固定手段２６は第一雄部２８及び第一雌部２９からなり、第二固定手段２７は第二雄部３０及び第二雌部３１からなり、雌部２９，３１はそれぞれの雄部２８，３０と相互接続されるように設計される。
【００５２】
第一固定手段２６の雄部２８及び雌部２９は失禁パッド１の縦方向縁１３に接続され、第二固定手段２７の雄部３０及び雌部３１は失禁パッド１の反対の縦方向縁１２に接続される。
【００５３】
雄部２８，３０は失禁パッド１の端部分２１，２２において対角に配置され、一方の雄部２８は前端部分２１に配置され、他方の雄部３０は後端部分２２に配置される。
【００５４】
雌部２９，３１もまた、失禁パッド１の端部分２１，２２において対角に配置され、一方の雌部２９は後端部分２２に配置され、他方の雌部３１は前端部分２１に配置される。
【００５５】
雄部２８，３０及び雌部２９，３１は縦方向縁１２，１３に直接接続されるが、代替実施態様では縦方向縁１２，１３とそれぞれの雄部２８，３０及び雌部２９，３１の間に配置された中間手段を介して接続されることができる。この関連において、中間手段は非弾性又は弾性であることができ、例えば一つ以上の柔らかい不織層又は一つ以上のプラスチックフィルム層からなることができる。不織層及びプラスチックフィルム層からなる積層体も考えられる。
【００５６】
代替実施態様では、固定手段２６，２７の雄部２８，３０及び雌部２９，３１は失禁パッド１の液体透過性カバー層２又は裏打ち層４、又は両層を含むことができる。失禁パッド１の液体透過性カバー層２及び／又は裏打ち層４が固定手段２６，２７の雄部２８，３０及び／又は雌部２９，３１の部分を構成するために延びる実施態様では、多数の別個の部分が互いに接合されなければならない工程が避けられる点でプロセス工学に関する利点が得られる。雄部２８，３０の場合には、液体透過性カバー層２及び／又は裏打ち層４は次いで雄部２８，３０の形状を形成するために延びるだろう。もし液体透過性カバー層２及び裏打ち層４の両方が延びるなら、それらは吸収体６の周囲のまわりの接続に関して記載されたのと対応する方法で互いに取り付けられる。雌部２９，３１は、対応する領域において、液体透過性カバー層２及び裏打ち層４が互いに取り付けられないが、第一突出舌部３２及び第二突出舌部３３（それらの舌部は以下に記載される）を形成することを除いて、対応する方法で形成される。
【００５７】
固定手段２６，２７の雌部２９，３１は、例えば一つ以上の柔らかい不織層、一つ以上のプラスチックフィルム層、又は不織層とプラスチックフィルム層の組み合わせからなる積層体などを含むことができる。また、もし装着者の方へ向けられる雌部２９，３１の表面が例えば不織布から作られた繊維状材料からなるなら、有利である。なぜならば、かかる材料は通常、プラスチックフィルム層より皮膚に対して装着するのが心地良いからである。
【００５８】
美観的見地から、特に失禁パッド１がパンツタイプであるとき、装着者から離れて向けられる雌部２９，３１の表面が例えば不織布から作られた繊維状材料からなることも有利である。
【００５９】
固定手段２６，２７の雄部２８，３０は、例えば一つ以上の柔らかい不織層、一つ以上のプラスチックフィルム層、又は不織層とプラスチックフィルム層の組み合わせからなる積層体などを含むことができる。雄部２８，３０がしわ形成に対する特定の抵抗性を有するように特定の剛性を有することは、本発明による固定手段２６，２７の相互接続のために必要ではないが、有利でありうる。
【００６０】
図３は装着者の腰のまわりの相互接続前に失禁パッド１の二つの固定手段２６，２７の第一実施態様の拡大図を示す。図は前端部分２１をその全体で示し、一方雌部２９及び雄部３０のそれぞれに接続される後端部分２２の部分だけが示される。
【００６１】
第一固定手段２６の雌部２９は失禁パッド１の後端部分２２に接続され、その雄部２８は前端部分２１に接続される。
【００６２】
第二固定手段２７の雌部３１は失禁パッド１の前端部分２１に接続され、その雄部３０は後端部分２２に接続される。
【００６３】
各雌部２９，３１は失禁パッド１の液体透過性カバー層２及び裏打ち層４に接続される第一突出舌部３２及び第二突出舌部３３を有する。この点に関して、各第一突出舌部３２上の表面３４は各第二突出舌部３３上の表面３５の方へ向けられる。第一固定要素３６は表面３４上に配置され、第二固定要素３７は表面３５上に配置される。
【００６４】
各雄部２８，３０は第一表面３８及び第二表面３９を有する。第一固定要素３６と相互作用することを意図される第三固定要素４０は各雄部２８，３０の第一表面３８上に配置される。第二固定要素３７と相互作用することを意図される第四固定要素４１は各雄部２８，３０の第二表面３９上に配置される。
【００６５】
固定要素３６，３７，４０，４１はフック及びループ型のものであり、相互作用する固定要素３６，４０及び３７，４１はフックを有する固定要素とループを有する固定要素の対からなる。
【００６６】
代替実施態様では、固定要素３６，３７，４０，４１は接着剤要素からなることができ、相互作用する固定要素３６，４０及び３７，４１は接着剤表面を有する固定要素と接着剤のための受容表面を有する固定要素の対からなることができる。かかる接着剤の実施態様では、接着剤及び受容表面が表面間の接続が開放及び再閉鎖可能であるように設計されることが好ましい。開放可能な接着剤要素は圧力感受性タイプとして知られるものの接着剤表面によってもたらされることが多い。それは剥離剤で処理された受容表面に適用され、そのとき接着剤接続は開放可能である。剥離剤処理は関係する表面のシリコーン処理によってもたらされることが一般的である。
【００６７】
相互作用する接着剤固定要素について、受容表面が接着剤表面よりわずかに大きく、従って接着剤表面全体が受容表面によってカバーされることが好ましい。
【００６８】
相互作用する固定要素３６，４０又は３７，４１がフック及びループ型のものであり、他の対が接着剤タイプのものである組み合わせ配置も考えられる。
【００６９】
失禁パッド１が装着者上に適合されることになるとき、装着者の胴はまず、装着者の後方を後端部分２２で、前方を前端部分２１で、及び装着者の太ももの間を狭い股部分２３で、失禁パッド１によって包囲される。この最初の適合が完了されたとき、二つの固定手段２６，２７の雄部２８，３０及び雌部２９，３１の接合は開始され、固定手段２６，２７の一方の構成要素部分の全てが他方の固定手段２６，２７の接合が開始される前に一緒に接合される。
【００７０】
固定手段２６，２７の最初は、まず第一固定要素３６を第三固定要素４０と相互接続し、次いで第二固定要素３７を第四固定要素４１と相互接続することによって一緒に接合される。
【００７１】
このタイプの固定手段２６，２７は適合後にパンツを模倣することになる失禁パッド１のために使用されることが多いので、固定手段２６，２７は失禁パッド１の縦方向に大きな範囲を有する。失禁パッド１の縦方向における固定手段２６，２７の大きな範囲、即ち幅広い固定手段２６，２７は、しわ及び他の不整を形成せずに様々な固定要素３６，３７，４０，４１を相互接続する際に困難性を伴う。相互接続された固定手段２６，２７におけるしわ及び他のタイプの欠陥は、とりわけ、失禁パッド１が装着者の皮膚に対して摩擦を生じるだけでなく、失禁パッド１が美観的に魅力に欠けかつ劣ったパンツ形状になるという危険を伴う。しわ形成の問題は、雌部２９，３１及び雄部２８，３０における構成要素材料が柔らかい可撓性材料からなるときに極めて大きい。幅広い固定手段２６，２７のしわ形成された不快な相互接続を得る危険を最小にするために、それゆえ二つの固定要素３６，３７，４０，４１が相互接続されるときに両手を使用することが好ましく、そのとき幅方向における引き延ばしが相互接続を行なうときに実施されることができる。
【００７２】
失禁パッド１の固定手段２６，２７がベッドに制限されている失禁症の装着者上に相互接続されることになるときに適用される最も一般的な方法は、まず世話をしている人が位置されるベッドの側の方へ向けられる固定手段２６，２７を相互接続することである。患者は次に世話をする人の方へ１／４回転し、その後残っている固定手段２６，２７は世話をする人がベッドの反対側へ動かずに相互接続される。
【００７３】
失禁パッド１の固定手段２６，２７が失禁パッド１上で対角に配置されるため、二つの固定手段２６，２７のための上記相互接続順序は、第一固定手段２６，２７の相互接続時に行なわれた操作が第二固定手段２６，２７のためと同じ手で正確に同じ方法で繰り返されることを意味する。世話をする人は相互接続時に彼らに向けられた固定手段２６，２７の二つの雄部２８，３０又は二つの雌部２９，３１のいずれかを有する。
【００７４】
世話をする人が右利き又は左利きであるかどうかによって、患者及びベッドの右又は左側から失禁パッド１の固定手段２６，２７の相互接続を実施することがより好適でありうる。
【００７５】
二つの幅広く相対的に複雑な固定手段２６，２７を正確に同じ操作順序で正確に同じ方法で相互接続する可能性は、対応する複雑な固定手段２６，２７が失禁パッド１上で従来のように配置されるのと比較して相互接続結果をかなり改良することが見出された。従来のように配置された固定手段２６，２７は、雌部２９，３１の両方が失禁パッド１の前又は後端部分２１，２２のいずれかに配置されること及び雄部２８，３０が反対の端部分２１，２２に配置されることを意味する。かかる従来のように配置された固定手段２６，２７が患者の同じ側から相互接続されることになるとき、これは鏡反転固定手段２６，２７の相互接続を伴い、それはしばしば劣った相互接続結果を生じる。
【００７６】
図４は装着者の腰のまわりの相互接続前に失禁パッド１の二つの固定手段２６，２７の第二実施態様の拡大図を示す。図４で示された参照番号は図３の第一実施態様の等価な参照番号に対応する。
【００７７】
各雌部２９，３１の第一突出舌部３２上には、第五固定要素４２が第一固定要素３６と同じ表面３４上に配置される。この関連において、第一及び第五固定要素３６，４２は失禁パッド１の縦方向において互いから離れて配置される。
【００７８】
第六固定要素４３は各雄部２８，３０の第一表面３８上に配置される。この関連において、各雄部２８，３０の第一表面３８上に配置される二つの固定要素４０，４３は失禁パッド１の縦方向において互いから離れて配置される。
【００７９】
この関連において、第一及び第五固定要素３６，４２の間の縦方向における距離は第三及び第六固定要素４０，４３の間の距離と本質的に同じである。
【００８０】
この第二実施態様による固定手段２６，２７を含む失禁パッド１の利点は、それが第一実施態様による固定手段２６，２７より装着者にとってわずかに柔らかくかつ可撓性に感じうることである。しかしながら、この柔らかさ及び可撓性に対して支払われる代償は、特に人がそれに慣れる前に、固定手段２６，２７を相互接続することがごくわずかに難しくなりうることである。なぜならば、さらなる二つの固定要素４２，４３は各場合において相互接続されなければならないからである。
【００８１】
この実施態様による失禁パッド１の適合は、第一実施態様による失禁パッド１の適合と同じ方法で、即ち装着者の胴を失禁パッド１で包囲し、固定手段２６，２７の一方を相互接続し、次いで他方の固定手段２６，２７を相互接続することによって実施される。
【００８２】
失禁パッド１の固定手段２６，２７の相互接続のための順序は、それにもかかわらず、第一実施態様における順序とわずかに異なる。
【００８３】
第二実施態様による各固定手段２６，２７の相互接続のための順序は、まず第一及び第三固定要素３６，４０を相互接続し、次に第五及び第六固定要素４２，４３を相互接続することである。最後に、第二固定要素３７は第四固定要素４１と相互接続される。相互接続順序における最後の操作の前に、即ち各固定手段２６，２７のための第五及び第六固定要素４２，４３の相互接続前に、雌部２９，３１及び雄部２８，３０の第一突出舌部３２が適切に延ばされて滑らかにされることを確実にすることが重要である。もしこれが確実にされないなら、第二及び第四固定要素３７，４１の間の最後の相互接続時にしわが形成される大きな危険があり、固定手段２６，２７はそのとき不快であり、美観的に魅力がない。
【００８４】
本発明による固定手段２６，２７は従来の固定手段より適合するのがわずかに複雑であるが、同時にかなり改良された固定手段２６，２７を示す。改良はとりわけ装着者の快適性及び外観だけでなく、相互接続されたユニットの強度にもある。
【００８５】
開放可能なパンツタイプとして知られるものの失禁パッド１は、装着者上への適合後に失禁パンツとして知られるものとして装着者及び他の人々の両方によって認識されることになる失禁パッド１のタイプである。失禁パンツは、それらが引き渡され、普通のパンツと正確に同じ方法で、即ち足上を滑らせて脚に沿って引き上げて、装着者上に装着されるときに既に連続した腰領域を有する。かかる失禁パンツはそれゆえ適合の時に前及び後腰領域の接合を要求しない。
【００８６】
それゆえ開放可能なパンツタイプの失禁パッド１のためには、前及び後腰領域の接合が、装着者にとって快適でありかつ多かれ少なかれ目に見えない接合部を生成することが重要である。かかる接合部は通常、オールインワンおむつとして知られる従来のものの接合部よりかなり幅広くなければならない。目に見えないようにするために、接合部はまた、失禁パッド１の外側を構成する材料層と同じ感触の材料層によってカバーされなければならない。
【００８７】
本発明は記載された図示した実施態様の全ての考えられる組み合わせを含む。
【００８８】
さらに、本発明は上述の図示した実施態様に制限されず、もちろん特許請求の範囲内で他の実施態様に対しても適用可能である。
【図面の簡単な説明】
【００８９】
【図１】使用時に装着者に面することを意図される側から広げられた状態で本発明による固定配置を含む吸収物品を示す。
【図２】二つの固定手段の相互接続の直前の構成で本発明による固定配置を含む吸収物品を示す。
【図３】相互接続前の吸収物品の二つの固定手段の第一実施態様の拡大図を示す。
【図４】相互接続前の吸収物品の二つの固定手段の第二実施態様の拡大図を示す。
【図１】
2007504884.tif 000003
【図２】
2007504884.tif 000004
【図３】
2007504884.tif 000005
【図４】
2007504884.tif 000006
【国際調査報告】
2007504884.tif 000007
2007504884.tif 000008
2007504884.tif 000009